(57)【要約】【課題】  石材の使用量が少なく、墓誌板の嵌脱、運搬が簡単にできる墓誌を提供する。【解決手段】  墓誌基板に石材、金属材を挿着することにより墓誌基板を加工した墓誌より石材の使用量を半減でき、墓誌基板に石材、金属材を挿着し、文字彫り用石板を載設，吊設、あるいは挿着し、外周部をコーキングなどで接着した墓誌。又はボルトなどで締着した墓誌。【選択図】図１
2008127986.tif 000002
【特許請求の範囲】
【請求項１】
墓誌基板の前側に一か所以上、形状挿入穴を穿設し、その穴に石材あるいは金属材を突設した墓誌。
【請求項２】
墓誌基板の前側に一枚以上、文字彫り用石板を載設、吊設、あるいは挿着した請求項１の墓誌。
【発明の詳細な説明】
【技術分野】
【０００１】  この発明は戒名などを彫りこむ墓誌に関するものである。
【背景技術】
【０００２】  墓誌は、上部を凹形に加工した２個の台石を平行に並べ、その凹部に約３センチ〜１０センチの厚みの長方形あるいは各種形にデザインした墓誌基板をはめ込んだ墓誌。１個の台石の上部に墓誌基板を載せて接着、あるいは彫りこみ、はめ込んだ墓誌。墓石外柵の一部をくりぬき、墓誌基板をはめ込んだ墓誌。台石の上部に内部にベアリングを組みこみ回転する円柱形、八角柱形の墓誌などがある。いずれも墓誌基板、円柱形、八角柱形の石材に戒名などを彫りこむものであった
【特許文献１】  特願２００５−３９７８７
【発明の開示】
【発明が解決しょうとする課題】
【０００３】  そのため、次のような問題点があった。
墓誌基板は石材の重量が大であり、追加戒名彫には機械、トラック、二人以上の人工を必要とした。嵌脱時には接着してある挿着部分の台石、墓誌板の破損の恐れがあった。白御影石で製作した墓誌においては文字に塗料を塗布しなければ見えない不都合があった。塗布した文字は長年の風化作用により塗料が薄くなり再度の塗布を必用とした。
本発明は、これらの問題点を解消するためになされたものである
【課題を解決するための手段】
【０００４】  墓誌基板とは別に軽重量の文字彫り用石板を製作し、嵌脱が簡単にできるよう墓誌基板に突設した石材、金属材に文字彫り用石板を載置、吊設し、側面をコーキングなどにより墓誌基板に接着する。白御影石で製作した墓誌においては、その前に文字彫り用石板を色彩の濃い石材又は黒御影石を使用することにより文字を見ることができる。
【発明の効果】
【０００５】  墓誌基板とは別に軽重量の文字彫用石板を製作し、嵌脱が簡単にできるよう墓誌基板に突設した石材、金属材に文字彫り用石板を載置、吊設し、側面をコーキングなどにより、墓誌基板に接着した。取り外しにはコーキングを切り取ることにより嵌脱が簡単にでき、台石、墓誌板の破損もなくなった。
白御影石で製作した墓誌においては、文字彫り用石板を色彩の濃い石材、又は黒御影石を使用することにより、サンドブラストで彫りこんだ文字はサンドの研削で白くなり塗料を塗布しなくても見ることができる。
【発明を実施するための最良の形態】
【０００６】  以下、本発明の実施の形態について説明する。
（イ）台石（１）を。図１、図２、図１３のような形状に製作する。
（ロ）墓誌基板（２）を図１、図２、図１３のような形状に製作する。
（ハ）墓誌基板（２）の前側下部に長方形の溝（３）を刻設し、その溝に石材（４）挿着する。
（ニ）台石（１）の凹部に墓誌基板（２）を挿着する。
（ホ）、戒名などを彫りこんだ文字彫り用石板（５）を石材（４）の上に載置する。
（ヘ）文字彫り用石板（５）の外周部（６）を墓誌基板（２）にコーキングなどで接着する。【０００７】（イ）台石（１ａ）を図３、図４のような形状に製作する。
（ロ）墓誌基板（２ａ）を図３、図４のような形状に製作する。
（ハ）墓誌基板（２ａ）の前側下部に穴（３ａ）を刻設し、その穴に金属材（４ａ）突設する。
（ニ）台石（１ａ）の欠切部に墓誌基板（２ａ）を載置し接着する。
（ホ）戒名などを彫りこんだ文字彫り用石板（５ａ）を金属材（４ａ）の上に載置する。
（ヘ）文字彫り用石板（５ａ）の外周部（６ａ）を墓誌基板（２ａ）にコーキングなどで接着する【０００８】（イ）台石（１ｂ）を。図５のような形状に製作する。
（ロ）墓誌基板（２ｂ）を図５のような形状に製作する
（ハ）墓誌基板（２ｂ）の前側下部に穴（３ｂ）を刻設し、その穴に金属材（４ｂ）を挿着する。
（ニ）台石（１ｂ）の欠切部に墓誌基板（２ｂ）を載置し接着する。
（ホ）戒名などを彫りこんだ文字彫り用石板（５ｂ）の背面下部に溝（６ｂ）刻設する。
（ヘ）墓誌基板（２ｂ）の金属材（４ｂ）に文字彫り用石板（５ｂ）の背面下部の溝（６ｂ）を挿入する。
（ト）文字彫り用石板（５ｂ）の外周部（７ｂ）を墓誌基板（２ｂ）にコーキングなどで接着する。【０００９】（イ）台石（１ｃ）を。図７のような形状に製作する。
（ロ）墓誌基板（２ｃ）を図７のような形状に製作する。
（ハ）墓誌基板（２ｃ）の前側上部に穴（３ｃ）を刻設し、その穴に金属材（４ｃ）突設する。
（ニ）台石（１ｃ）の欠切部に墓誌基板（２ｃ）を載置し接着する。
（ホ）戒名などを彫りこんだ文字彫り用石板（５ｃ）の背面上部に溝（６ｃ）を刻設する。
（ヘ）墓誌基板（２ｃ）の金属材（４ｃ）に文字彫り用石板（５ｃ）の背面上部の溝（６ｃ）を挿入する。
（ト）文字彫りこみ石板（５ｃ）の外周部（７ｃ）を墓誌基板（２ｃ）にコーキングなどで接着する【００１０】（イ）台石（１ｄ）を。図９、図１０のような形状に製作する。
（ロ）墓誌基板（２ｄ）を図９、図１０のような形状に製作する。
（ハ）墓誌基板（２ｄ）の前側上部に穴（３ｄ）を刻設し、その穴に金属材（４ｄ）を突設する。
（ニ）台石（１ｄ）の欠切部に墓誌基板（２ｄ）を載置し接着する。
（ホ）戒名などを彫りこんだ文字彫り用石板（５ｄ）の上部に貫通穴（６ｄ）を刻設する。
（ヘ）墓誌基板（２ｄ）の金属材（４ｄ）に文字彫り用石板（５ｄ）の上部の貫通穴（６ｄ）を挿入し文字彫り用石板（５ｄ）を吊設する。
（ト）文字彫り用石板（５ｄ）の外周部（７ｄ）を墓誌基板（２ｄ）にコーキングなどで接着する【００１１】（イ）台石（１ｅ）を。図１１、図１２のような形状に製作する。
（ロ）墓誌基板（２ｅ）を図１１、図１２のような形状に製作する。
（ハ）墓誌基板（２ｅ）の前側上下に穴（３ｅ）を刻設しその穴にネット（雌ねじ）（４ｅ）を埋設する。
（ニ）台石（１ｅ）の欠切部に墓誌基板（２ｅ）を載置し接着する。
（ホ）戒名などを彫りこんだ文字彫り用石板（５ｅ）の上下に文字彫り用石板穴（６ｅ）を貫設する。
（ヘ）（２ｅ）に文字彫り用石板（５ｅ）を付設し、ボルト（７ｅ）で締着する。
本発明は以上のような構成で、追加戒名彫のときは、コーキングの部分を切りとり文字彫り用石板を嵌脱、着脱する。あるいはボルトを緩め取り外す。【００１２】墓誌基板と文字彫り用石板の取り付けについて上記の反対の方法で墓誌基板に穴あるいは溝を穿設し、文字彫り用石板に金属材を貫設または表面に出ないよう内設し墓誌基板に配設、吊設し、文字彫り用石板の外周部をコーキングなどで接着する。【００１３】台石に対し墓誌基板を立設し文字彫り用石板を両面テープなどで仮止めし外周部をコーキングなどで接着する。あるいは台石に対し墓誌基板を斜めに固着し、その板に文字彫り用石板を当着、挿着、締着、吊設しコーキングなどで接着する。
【図面の簡単な説明】
【００１４】
【図１】墓誌基板に石材を嵌着した墓誌の分解斜視図
【図２】墓誌基板に石材を嵌着した墓誌の正面図
【図３】墓誌基板に金属棒を挿着した墓誌の分解斜視図
【図４】墓誌基板に金属棒を挿着した墓誌の正面図
【図５】文字彫り用石板の背面下部に溝を刻設した墓誌の分解斜視図
【図６】文字彫り用石板の背面下部に溝を刻設した墓誌の背面斜視図
【図７】文字彫り用石板の背面上部に溝を刻設した墓誌の分解斜視図
【図８】文字彫り用石板の背面上部に溝を刻設した墓誌の背面斜視図
【図９】文字彫り用石板の上部に貫通穴を刻設した墓誌の分解斜視図
【図１０】文字彫り用石板の上部に貫通穴を刻設した墓誌の正面図
【図１１】文字彫り用石板をボルトで締着した墓誌の分解斜視図
【図１２】文字彫り用石板をボルトで締着した墓誌の正面図
【図１３】墓誌基板に石材を嵌着した墓誌のＡ−Ａ線断面図
【符号の説明】
【００１５】１    台石
２    墓誌基板
３    溝
４    石材
５    文字彫り用石板
６    外周部
１ａ  台石
２ａ  墓誌基板
３ａ  穴
４ａ  金属材
５ａ  文字彫り用石板
６ａ  外周部
１ｂ  台石
２ｂ  墓誌基板
３ｂ  穴
４ｂ  金属材
５ｂ  文字彫り用石板
６ｂ  溝
７ｂ  外周部
１ｃ  台石
２ｃ  墓誌基板
３ｃ  穴
４ｃ  金属材
５ｃ  文字彫り用石板
６ｃ  溝
７ｃ  外周部
１ｄ  台石
２ｄ  墓誌基板
３ｄ  穴
４ｄ  金属材
５ｄ  文字彫り用石板
６ｄ  貫通穴
７ｄ  外周部
１ｅ  台石
２ｅ  墓誌基板
３ｅ  穴
４ｅ  ネット
５ｅ  文字彫り用石板
６ｅ  文字彫り用石板穴
７ｅ  ボルト
【図１】
2008127986.tif 000003
【図２】
2008127986.tif 000004
【図３】
2008127986.tif 000005
【図４】
2008127986.tif 000006
【図５】
2008127986.tif 000007
【図６】
2008127986.tif 000008
【図７】
2008127986.tif 000009
【図８】
2008127986.tif 000010
【図９】
2008127986.tif 000011
【図１０】
2008127986.tif 000012
【図１１】
2008127986.tif 000013
【図１２】
2008127986.tif 000014
【図１３】
2008127986.tif 000015